(57)【要約】【課題】硬貨の搬送処理の高速化のために、傾斜円盤の回転速度を上げても、係合部に係止されていない硬貨が不要に繰り出されることを防止する。【解決手段】本発明の硬貨繰出装置１５は、傾斜円盤３０とその周縁部３０ａに設けられた係合部３２によって硬貨Ｃを掻き上げて１枚ずつ繰り出す硬貨繰出装置において、傾斜円盤３０の中央部で係合部３２が設けられた周縁部３０ａ以外の部分に配置され、傾斜円盤３０とは異なる部材で構成され、傾斜円盤３０による硬貨の掻き上げ時に、同じ方向で、同じ速度では回転しない中央部材３１を設ける。【選択図】図２
2020181314.tif 000002
【特許請求の範囲】
【請求項１】
傾斜円盤とその周縁部に設けられた係合部によって硬貨を掻き上げて１枚ずつ繰り出す硬貨繰出装置において、
前記傾斜円盤の中央部で前記係合部が設けられた前記周縁部以外の部分に配置され、前記傾斜円盤とは異なる部材で構成され、前記傾斜円盤による硬貨の掻き上げ時に、同じ方向で、同じ速度では回転しない中央部材を設けた、硬貨繰出装置。
【請求項２】
前記中央部材は、前記傾斜円盤による硬貨の繰り出し時に、前記傾斜円盤の回転方向とは逆方向に回転する、請求項１に記載の硬貨繰出装置。
【請求項３】
前記中央部材は、前記傾斜円盤による硬貨の繰り出し異常時には、前記傾斜円盤と同じ方向に回転する、請求項１又は２に記載の硬貨繰出装置。
【請求項４】
前記中央部材は、前記傾斜円盤の回転速度とは異なる速度で回転する、請求項２又は３のいずれかに記載の硬貨繰出装置。
【請求項５】
前記傾斜円盤の前記周縁部の表面と前記中央部材の表面との高さ位置は等しい、請求項１乃至４のいずれか１項に記載の硬貨繰出装置。
【請求項６】
前記係合部の係合面よりも前記傾斜円盤の径方向内側には、複数の硬貨が係合したときに、前記傾斜円盤の回転に伴って、硬貨の周縁を前記傾斜円盤の表面から浮き上がらせる傾斜ガイド部が設けられている、請求項５に記載の硬貨繰出装置。
【請求項７】
前記傾斜円盤で所定高さ位置にある硬貨を検知する検知部を更に備える、請求項１乃至６のいずれか１項に記載の硬貨繰出装置。
【請求項８】
請求項１乃至７の何れか一項に記載の硬貨繰出装置を備えた、硬貨処理機。
【発明の詳細な説明】
【技術分野】
【０００１】
本発明は、硬貨繰出用の傾斜円盤を備えた硬貨繰出装置と、その硬貨繰出装置を用いた硬貨処理機に関する。
【背景技術】
【０００２】
従来、外部から投入された硬貨を貯留するとともにこの貯留された硬貨の繰出を行う硬貨繰出装置及びその硬貨繰出装置を用いた硬貨処理装置が知られている。
【０００３】
このような硬貨繰出装置及び硬貨処理装置として、特許文献１に開示された装置がある。以下、特許文献１に開示された装置について、図８を参照して説明する。図８は、特許文献１に開示された硬貨繰出装置の正面図である。
【０００４】
図８に示す硬貨繰出装置１００では、単一の部材により構成される傾斜円盤１０１の上部が背面側（図８の紙面裏側）に倒れるような傾斜姿勢で設置されている。そして、図外の硬貨投入口より投入された複数の硬貨Ｃが、重力により落下して、傾斜円盤１０１の下部領域に貯留する。傾斜円盤１０１が回転すると、傾斜円盤１０１の下部に貯留した硬貨Ｃは、傾斜円盤１０１の外周の縁部近傍に設けられた係合部１０２により係止される。硬貨Ｃは、縁部を支持されながら、矢印Ａ１で示されるように傾斜円盤１０１の上方へ繰り上げられる。繰り上げられた硬貨Ｃは、矢印Ａ２で示されるように傾斜円盤１０１の上部に配置されている案内部材１０３へ誘導されて、矢印Ａ３で示されるように搬送路１０４へと原則１枚ずつ搬送される。
【先行技術文献】
【特許文献】
【０００５】
【特許文献１】特許第５１４８７０３号公報
【発明の概要】
【発明が解決しようとする課題】
【０００６】
このように、図８に示す傾斜円盤１０１を用いた硬貨繰出装置１００では、傾斜円盤１０１の下部領域に貯留している複数の硬貨Ｃを、係合部１０１により係止して掻き上げ、１枚ずつ案内部材１０３へと搬送している。
【０００７】
しかしながら、硬貨処理の高速化にともなって傾斜円盤１０１の高速回転化が進んだ結果、係合部１０１に係止されていない硬貨Ｃが、傾斜円盤１０１により連れ上げられてしまうことがあった。この結果、矢印Ｂ１,Ｂ２及び矢印Ｂ３,Ｂ４で示されるように、係合部１０１が設けられていない傾斜円盤１０１の内周側の中央部を通って硬貨Ｃが不要に搬送路１０４へ繰り出され、複数の硬貨Ｃが同時に搬送路１０４へと繰り出されることがあった。
【０００８】
このように同時に複数の硬貨Ｃが搬送路１０４に繰り出されてしまうと、搬送路１０４上での硬貨Ｃ同士の異常接近によるリジェクト（異常接近リジェクト）や、重なり硬貨によるジャムが発生し、この重なり硬貨によるジャムが硬貨繰出装置１００の休止の原因となっていた。
【０００９】
本発明は、このような課題を解決するために創案されたものであり、硬貨の搬送処理の高速化のために、傾斜円盤の回転速度を上げても、係合部に係止されていない硬貨が不要に繰り出されることを防止できる硬貨繰出装置及び硬貨処理機を提供することを目的とする。
【課題を解決するための手段】
【００１０】
上記従来の課題を解決するために、本発明の硬貨繰出装置は、傾斜円盤とその周縁部に設けられた係合部によって硬貨を掻き上げて１枚ずつ繰り出す硬貨繰出装置において、前記傾斜円盤の中央部で前記係合部が設けられた前記周縁部以外の部分に配置され、前記傾斜円盤とは異なる部材で構成され、前記傾斜円盤による硬貨の掻き上げ時に、同じ方向で、同じ速度では回転しない中央部材を設ける。
【００１１】
上記従来の課題を解決するために、本発明の硬貨処理機は、前記硬貨繰出装置を備える。
【発明の効果】
【００１２】
本発明によれば、傾斜円盤の回転速度を上げても、係合部に係止されていない硬貨が不要に繰り出されることを防止できる。
【図面の簡単な説明】
【００１３】
【図１】硬貨処理機を説明するための側面視による内部レイアウトを示す模式図。
【図２】硬貨繰出装置の構成及び繰出処理の一例を説明するための図であって、硬貨繰出装置の正面図。
【図３】硬貨繰出装置の構成及びブリッジ解消処理の一例を説明するための図であって、硬貨繰出装置の正面図。
【図４】ブリッジ解消処理の他の例を説明するための図であって、硬貨繰出装置の正面図。
【図５】繰出処理の他の例を説明するための図であって、硬貨繰出装置の正面図。
【図６Ａ】参考例としての従来の傾斜円盤の一部を示す正面図。
【図６Ｂ】参考例としての従来の傾斜円盤の断面図であって図６ＡのＡ−Ａ断面図。
【図７Ａ】傾斜円盤の一部を示す正面図。
【図７Ｂ】傾斜円盤の断面図であって、図７ＡのＢ−Ｂ断面図。
【図７Ｃ】係合部の斜視図。
【図８】特許文献１に開示された硬貨繰出装置の正面図。
【発明を実施するための形態】
【００１４】
以下、本発明の実施形態に係る硬貨繰出装置及び硬貨処理機ついて、図面を参照しながら説明する。以下に示す実施形態はあくまでも例示に過ぎず、以下の実施形態で明示しない種々の変形や技術の適用を排除するものではない。また、実施形態の各構成は、それらの趣旨を逸脱しない範囲で種々変形して実施することができる。さらに、実施形態の各構成は、必要に応じて取捨選択することができ、あるいは適宜組み合わせることができる。
【００１５】
以下の説明では、硬貨処理機１に関しては硬貨入出金口１３が設けられている側を前側とする。また、傾斜円盤３０に関しては、硬貨を搬送する側の面を正面とし、その反対側の面を背面とし、傾斜円盤３０が硬貨を繰り出す時の回転を正回転とし、その反対方向の回転を逆回転として説明する。また、重力を基準に上下を定める。
【００１６】
なお、実施形態を説明するための全図において、同一要素は原則として同一の符号を付し、その説明を省略することもある。
【００１７】
［１．硬貨処理機］
以下、本発明の実施の形態の硬貨処理機について、図１を参照しながら説明する。図１は、本発明の実施形態の硬貨処理機を説明するための側面視による内部レイアウトを示す模式図である。
【００１８】
硬貨処理機１の機体１１の前側上部には、シャッタ１２で開閉される硬貨入出金口１３が設けられ、この硬貨入出金口１３の下方に硬貨を受け入れる硬貨受皿１４が配設されている。硬貨受皿１４は硬貨を下方へ放出可能に構成されている。硬貨受皿１４の下方には硬貨受皿１４から放出される硬貨を受け入れて１枚ずつ繰り出す硬貨繰出装置１５が配設されている。
【００１９】
硬貨繰出装置１５の下部には回収通路１７の始端が接続され、この回収通路１７の終端には残留物回収箱１６が接続されている。硬貨繰出装置１５から繰り出すことのできない異物や、硬貨処理機１に回収されるべき硬貨は、回収通路１７を介して残留物回収箱１６へ送られて硬貨処理機１に回収される。 
【００２０】
硬貨繰出装置１５の上部には、この硬貨繰出装置１５から１枚ずつ繰り出される硬貨を受け入れて搬送する硬貨通路１８の始端が接続されている。この硬貨通路１８には、硬貨を識別する識別部１９、硬貨を金種別に分類する分類部２０、硬貨通路１８の後流部分であって終端が硬貨受皿１４に接続される返却通路部２１が設けられている。
【００２１】
また、硬貨通路１８の分類部２０の下方には、金種別に分類された硬貨を金種別に一時保留する一時保留部２２が配設されている。この一時保留部２２の下方にはさらに硬貨を金種別に収納する収納部２３が配設されている。収納部２３は、入金承認時や補充時には、一時保留部２２から硬貨を受け入れて収納するとともに、出金時や回収時などの硬貨投出時には、硬貨を上部から側方へ１枚ずつ投出するように構成されている。収納部２３の側部には、収納部２３から投出される硬貨と、一時保留部２２から返却のために放出される硬貨と、を受け入れて、硬貨繰出装置１５に搬送するコンベヤ２４が配設されている。
【００２２】
なお、図１中において、符合２５が付されている構成要素は、予め補充された硬貨を収納して補充処理時にこの予め補充された硬貨をコンベヤ２４上に供給する補充カセット２５である。また、符合２６が付されている構成要素は、硬貨の回収処理の際に、機体１１内の全ての硬貨を回収する回収箱２６である。これら補充カセット２５および回収箱２６は機体１１に対して着脱可能となっている。
【００２３】
［２．硬貨繰出装置］
以下、本発明の実施形態の硬貨繰出装置について、図２及び図３を参照しながら説明する。図２は、硬貨繰出装置の構成及び硬貨を繰り出すための処理（以下「繰出処理」という）の一例を説明するための図であって、硬貨繰出装置の正面図である。図３は、硬貨繰出装置の構成及び硬貨の詰まり、いわゆるブリッジ、を崩すための処理（以下「ブリッジ解消処理」という）の一例を説明するための図であって、硬貨繰出装置の正面図である。
【００２４】
図２及び図３に示す硬貨繰出装置１５は、上部を背面側に傾けた傾斜円盤３０を備えている。この傾斜円盤３０の正面側には、傾斜円盤３０の係合部３２が設けられていない中央部に、傾斜円盤３０よりも小径で且つ傾斜円盤３０と同じ姿勢で傾斜した中央円盤３１が配置されている。詳しくは、傾斜円盤３０は、正面の中心部に凹部が形成されており、中央円盤３１は、その正面が傾斜円盤３０の正面と高さ位置が等しくなるように、この凹部内に配設されている。ここで説明した「高さ位置が等しい」とは、水平方向の高さ位置、つまり傾斜円盤３０及び中央円盤３１の正面と直交する方向の高さ位置が等しいことを意味する。中央円盤３１と傾斜円盤３０とは、同じ軸心線ＣＬ上に配置され、この軸心線ＣＬを中心に回転可能に設けられている。
【００２５】
傾斜円盤３０及び中央円盤３１の正面下部には硬貨Ｃを貯留するためのホッパ（図示略）が設けられている。そして、傾斜円盤３０における中央円盤３１よりも外周側にはみ出す周縁部３０ａの正面には、繰出処理時に、前記ホッパ内に貯留された硬貨Ｃを掻き上げて硬貨通路１８へと繰り出すための複数の係合部３２が設けられている。係合部３２は、周縁部３０ａの周方向に間隔をあけて周縁部３０ａの正面に設けられている。
【００２６】
傾斜円盤３０と中央円盤３１とは互いに独立した別部材として構成されており、互いに独立して動作可能となっている。また、中央円盤３１は、硬貨Ｃの掻き上げ時、傾斜円盤３０とは、同じ方向且つ同じ速度では回転しない。
【００２７】
本実施形態では、繰出処理時には、図２に示すように硬貨繰出装置１５が動作する。すなわち、傾斜円盤３０は、矢印Ｐ（以下、正回転方向Ｐとも表記する）で示す方向に正回転して、下部に貯留した硬貨Ｃを掻き上げて矢印Ｄ１，Ｄ２で示すように硬貨Ｃを繰り出して硬貨通路１８へと搬送している間、中央円盤３１は回転しないか、又は後述するように、逆方向に回転する。
【００２８】
このように、傾斜円盤３０を正回転させて硬貨Ｃを繰り出す際、中央円盤３１が回転せず停止しているか、又は後述するように逆方向に回転している。したがって、中央円盤３１の下側に滞留している硬貨Ｃが、上述した図８に示される従来装置のように傾斜円盤１０１の回転により連れ上がることがない。このため、硬貨通路１８へ複数の硬貨Ｃが同時に繰り出されてしまうことが防止される。
【００２９】
また、硬貨繰出装置１５では、傾斜円盤３０や中央円盤３１の下方に貯留した複数の硬貨Ｃが互いに干渉して滞留する塊状の所謂ブリッジが発生することがある。ブリッジが発生すると、このブリッジにより傾斜円盤３０の回転が阻害されて当該傾斜円盤３０が回転しなくなる。そこで、ブリッジが発生した場合、図３に示されるブリッジ解消処理が行われる。
【００３０】
すなわち、傾斜円盤３０は矢印Ｒで示す方向に逆回転し、中央円盤３１もまた矢印Ｒで示す方向に回転する。これにより、ブリッジを崩すことができる。つまり、傾斜円盤３０と中央円盤３１を互いに矢印Ｒの方向に回転させることで、傾斜円盤３０の正回転により形成された硬貨Ｃの配列に起因したブリッジを、崩すことができる。傾斜円盤３０の回転速度Ｖ１と、中央円盤３１の回転速度Ｖ２とに差ΔＶをつけることで、この差ΔＶだけ、傾斜円盤３０の硬貨Ｃと中央円盤３１上の硬貨Ｃとに異なる大きさの力が作用して、一層効果的にブリッジを崩すことができる。
【００３１】
このように、傾斜円盤３０と中央円盤３１との両方が回転する場合には、一つの駆動源が傾斜円盤３０と中央円盤３１との両方を回転駆動するようにしてもよい。或いは、傾斜円盤３０と中央円盤３１とに個別に設けられた駆動源が、傾斜円盤３０と中央円盤３１とを回転駆動するようにしてもよい。一つの駆動源により傾斜円盤３０と中央円盤３１との両方を回転駆動する場合、駆動源から中央円盤３１に動力を伝達させる機構にワンウェイギアを用いることが考えられる。ワンウェイギアを用いれば、繰出処理時には、駆動源の正回転方向の駆動力を傾斜円盤３０だけに伝達して中央円盤３１には伝達せず、ブリッジ解消処理時には、駆動源の逆回転方向の駆動力を傾斜円盤３０と中央円盤３１との両方に伝達することができる。
【００３２】
なお、硬貨繰出時に、傾斜円盤３０を正回転させて、中央円盤３１を逆回転させて、硬貨の連れ上がりを防止する場合には、図３に示されるブリッジ解消処理において、傾斜円盤３０及び中央円盤３１の一方だけが矢印Ｒで示す方向に逆回転し、傾斜円盤３０及び中央円盤３１の他方は非回転としてもよい。
【００３３】
また、上述のブリッジ解消処理は、ブリッジを検出する検出部を設け、この検出部によりブリッジが検出された場合に硬貨処理機１の制御装置（図示略）が、傾斜円盤３０と中央円盤３１との駆動源を制御してブリッジ解消処理を行わせればよい。または、オペレータが目視によりブリッジを確認したときに、オペレータが手動操作により、前記駆動源を制御して、ブリッジ解消処理を行わせるようにしてもよい。或いは、前記制御装置が、傾斜円盤３０と中央円盤３１との駆動源を制御して、傾斜円盤３０と中央円盤３１とを周期的に逆回転させて、ブリッジを崩す又はブリッジの発生を未然に防止するようにしてもよい。なお、ブリッジを検出する検出部は、例えば、傾斜円盤３０又は中央円盤３１上において、鉛直方向の所定高さ位置にある硬貨Ｃを検知することでブリッジを検出する検知部であってもよく、傾斜円盤３０上の所定の高さ位置にある硬貨Ｃを検知する検知部であってもよい。
【００３４】
なお、硬貨Ｃの繰出処理時及びブリッジ解消処理時における傾斜円盤３０と中央円盤３１との回転の態様は前記したものに限定されず、例えば図４及び図５に示される態様により行ってもよい。図４は、ブリッジ解消処理の他の例を説明するための図であって、硬貨繰出装置の正面図である。図５は、繰出処理の他の例を説明するための図であって、硬貨繰出装置の正面図である。
【００３５】
図４に示されるブリッジ解消処理では、傾斜円盤３０は矢印Ｒで示す方向に逆回転し、中央円盤３１は矢印Ｐで示す方向に正回転する。このように傾斜円盤３０と中央円盤３１とが互いに逆方向に回転することで、互いに逆向きの力を同時にブリッジに作用させることができ、ブリッジを効果的に崩すことができる。傾斜円盤３０と中央円盤３１の回転方向が異なる場合は、回転速度は同じでもよいが、傾斜円盤３０の回転速度と、中央円盤３１の回転速度との差ΔＶが大きいほどブリッジを効果的に崩すことができる。なお、傾斜円盤３０が停止し、中央円盤３１だけが逆回転するようにしてもよい。
【００３６】
図５に示される繰出処理では、傾斜円盤３０は矢印Ｐで示す方向に正回転し、中央円盤３１は矢印Ｒで示す方向に逆回転する。したがって、傾斜円盤３０により硬貨Ｃを繰り出すと同時に、中央円盤３１によりブリッジを崩し、又はブリッジの発生を抑制している。
【００３７】
次に、図６Ａ，図６Ｂ，図７Ａ、図７Ｂ及び図７Ｃを参照して、傾斜円盤３０の周縁部３０ａに設けられた係合部３２及びその周辺部について説明する。図６Ａは、参考例としての従来の傾斜円盤の一部を示す正面図である。図６Ｂは、参考例としての従来の傾斜円盤の断面図であって図６ＡのＡ−Ａ断面図である。図７Ａは、本発明の一実施形態の傾斜円盤の一部を示す正面図である。図７Ｂは、本発明の一実施形態の傾斜円盤の断面図であって、図７ＡのＢ−Ｂ断面図である。図７Ｃは、本発明の一実施形態に係る係合部の斜視図である。
【００３８】
図６Ａ及び図６Ｂに示される従来の傾斜円盤１３０には、本発明の一実施形態の傾斜円盤３０とは異なり、中央円盤が組み付けられていなかった。詳しくは、傾斜円盤１３０は、硬貨Ｃを掻き上げる係合部１３２が設けられる周縁部１３０ａと、この周縁部１３０ａよりも正面側に突出した中央部１３０ｂとを一体に備えて構成されていた。このため、周縁部１３０ａと中央部１３０ｂとの間に段差１３０ｃが形成され、ひいては、傾斜円盤１３０を囲う壁面部１４０と中央部１３０ｂとの間に、凹所１５０が形成されていた。この傾斜円盤１３０を装備した硬貨処理機において、処理可能な最大径の硬貨（大径硬貨）の径が、処理可能な最小径の硬貨（小径硬貨）の径の２倍以上の場合、繰出処理時に、壁面部１４０と中央部１３０ｂとの間で硬貨Ｃが噛み込まれてしまうことがあった。つまり、図６Ａに示すように、２枚の小径硬貨Ｃが、凹所１５０内で、傾斜円盤１３０の径方向に並んで壁面部１４０と段差１３０ｃとの間で押圧された状態となってしまい、この２枚の小径硬貨Ｃが傾斜円盤１３０の回転を阻害することがあった。また、凹所１５０内に金属片などの硬貨ではない異物が入りこんでしまうこともあった。
【００３９】
本発明の一実施形態の傾斜円盤３０は、図７Ｂに示すように、上述したとおりその周縁部３０ａの正面と中央円盤３１の正面とが同じ高さ位置に揃えられている。この結果、従来の傾斜円盤１３０（図６Ａ及び図６Ｂ参照）とは異なり、傾斜円盤３０を囲う壁面部４０と傾斜円盤３０及び中央円盤３１との間に凹所が形成されない。この結果、最大径硬貨の径が最小径硬貨の径の２倍以上ある場合でも、従来の傾斜円盤１３０のように凹所内に複数の硬貨Ｃが押圧された状態で径方向に並ぶことがない。したがって、硬貨Ｃの噛み込みによる傾斜円盤３０の停止が未然に防止される。
【００４０】
その反面、壁面部４０と中央円盤３１との間には凹所が形成されないと、図７Ａに示すように、傾斜円盤１３０の径方向外側の硬貨Ａによって、傾斜円盤１３０の径方向内側の硬貨Ｂが支持されて、傾斜円盤３０により搬送されることがある。そこで、係合部３２の形状を図７Ａ及び図７Ｃに示すように形状としている。
【００４１】
具体的には、係合部３２は、傾斜円盤３０の径方向外側に位置する箇所に、傾斜円盤３０の正面側に突出した突部が形成されている。この突部の正回転方向Ｐに向かう端面３２ａ（以下「係合面３２ａ」ともいう）が、硬貨Ａを下方から支持する。また、係合部３２は、係合面３２ａよりも傾斜円盤３０の径方向内側に、傾斜ガイド部３２ｂが設けられている。傾斜ガイド部３２ｂは、正回転方向Ｐの下流側の端部が、周縁部３０ａの正面と高さ位置が等しく、正回転方向Ｐの上流側になるほど前記正面側から大きく突出する傾斜面である。ここで説明した「高さ位置が等しい」とは、水平方向の高さ位置が等しいことを意味する。繰り出し時、係合面３２ａが上方を向くようになると、硬貨Ｂは、図７Ａに矢印Ｆで示すように、重力の作用により傾斜ガイド部３２ｂ上を降下し、ホッパに落下する。その一方、硬貨Ａは係合面３２ａにより係合・支持されて上方へと搬送される。なお、図５に示すように、繰り上げ時に中央円盤３１を逆回転させれば、硬貨Ｂが傾斜ガイド部３２ｂへと送り出されて、より効率的に硬貨Ｂをホッパへと落下させることが可能となる。また、傾斜ガイド部３２ｂを、係合部３２とは別部材により構成してもよい。
【００４２】
［３．効果］
（１）係合部３２に係止されていない硬貨Ｃは、傾斜円盤３０とは同じ方向且つ同じ速度では回転しない中央円盤３１上にある。したがって、本発明の一実施形態によれば、中央円盤３１上にあり係合部３２に係止されていない硬貨Ｃは、硬貨Ｃの繰出処理の高速化のために、傾斜円盤の回転速度を上げても、係合部３２に係止されていない硬貨Ｃが連れ周されて不要に繰り出されてしまうことを防止できる。
【００４３】
（２）傾斜円盤３０が正回転する繰出処理時に、中央円盤３１を逆回転させた場合には、ホッパ内に貯留された硬貨Ｃに、傾斜円盤３０と中央円盤３１とで同時に逆方向に力を作用させることができる。したがって、互いに逆方向に作用する力により硬貨Ｃのブリッジを崩す又はブリッジの発生を未然に防止できる。
【００４４】
（３）硬貨Ｃの詰まりにより硬貨Ｃの繰り出しを行えないブリッジ発生時に、傾斜円盤３０と中央円盤３１とを共に逆回転させることで、傾斜円盤３０の繰り出し時の正回転により形成された硬貨Ｃの配列に起因したブリッジを崩すことができる。
【００４５】
（４）繰出処理時又はブリッジ解消時に、傾斜円盤３０と中央円盤３１とを互いに異なる速度で回転させれば、傾斜円盤３０上の硬貨Ｃと中央円盤３１上の硬貨Ｃとに異なる大きさの力を作用させることができる。したがって、硬貨Ｃのブリッジを崩す又はブリッジの発生を未然に防止できる。
【００４６】
（５）傾斜円盤３０と中央円盤３１との間に段差があると、この段差において硬貨Ｃの噛み込みが発生する可能性があるが、傾斜円盤３０と中央円盤３１との正面の高さ位置が等しいので、このような噛み込みを未然に防止できる。
【００４７】
（６）傾斜円盤３０と中央円盤３１との間に段差がないと、係合部３２上に複数枚の硬貨Ａ，Ｂが並んでしまい、これらの複数枚の硬貨Ａ，Ｂが同時に繰り上げられてしまう可能性がある。そこで、係合部３２の係合面３２ａよりも傾斜円盤３０の径方向内側には、傾斜円盤３０の繰り出し時の回転方向で上流側になるほど傾斜円盤３０の正面からの突出量が大きくなる、傾斜ガイド部３２ｂが設けられている。当該径方向に並んだ複数枚の硬貨Ａ，Ｂの内、この傾斜ガイド部３２ｂ上の硬貨Ｂが、傾斜ガイド部３２ｂを滑り落ちて落下するので、複数枚の硬貨Ａ，Ｂが同時に繰り上げられてしまうことを防止できる。
【００４８】
（７）傾斜円盤３０又は中央円盤３１上において鉛直方向の所定高さ位置にある硬貨Ｃを検知することでブリッジを検出する検知部を設けた場合には、この検知部によりブリッジが検出された場合に自動でブリッジ解消処理を行わせることが可能となる。
【００４９】
［４．変形例］
ブリッジ解消処理は前記実施形態の態様に限定されない。例えば、傾斜円盤３０を正回転させると共に、中央円盤３１を、傾斜円盤３０の回転速度よりも遅い回転速度で正回転させてもよい。この場合も、ブリッジの傾斜円盤３０上に位置する部分と中央円盤３１上に位置する部分とに異なる大きさの力が作用するので、ブリッジを崩すことが可能である。
【００５０】
あるいは、ブリッジ解消処理を、中央円盤３１を前後方向に移動させることで行うようにしてもよい。
【産業上の利用可能性】
【００５１】
本発明は、硬貨繰出装置と、その硬貨繰出装置を用いた硬貨処理装置とに適用できる。よって、その産業上の利用可能性は多大である。
【符号の説明】
【００５２】
１  硬貨処理機
１１  機体
１２  シャッタ
１３  硬貨入出金口
１４  硬貨受皿
１５  硬貨繰出装置
１６  残留物回収箱
１７  回収通路
１８  硬貨通路
１９  識別部
２０  分類部
２１  返却通路部
２２  一時保留部
２３  収納部
２４  コンベヤ
２５  補充カセット
２６  回収箱
３０  傾斜円盤
３０ａ  傾斜円盤３０の周縁部
３１  中央円盤（中央部材）
３２  係合部
３２ａ  係合面
３２ｂ  傾斜ガイド部
１３０  傾斜円盤
１３２  係合部
Ａ，Ｂ，Ｃ  硬貨
ＣＬ  軸心線
Ｐ  正回転方向
【図１】
2020181314.tif 000003
【図２】
2020181314.tif 000004
【図３】
2020181314.tif 000005
【図４】
2020181314.tif 000006
【図５】
2020181314.tif 000007
【図６Ａ】
2020181314.tif 000008
【図６Ｂ】
2020181314.tif 000009
【図７Ａ】
2020181314.tif 000010
【図７Ｂ】
2020181314.tif 000011
【図７Ｃ】
2020181314.tif 000012
【図８】
2020181314.tif 000013